(57)【要約】【課題】建築物において、菌類、害虫、小動物等の忌避や駆除を容易に行なうことができる躯体内空間への光照射装置を提供する。【解決手段】光照射装置１は、住宅１０に設けられており、住宅１０の内部に外部から太陽光を採光する太陽光採光開口部（採光部）５０と、太陽光採光開口部５０を介して採光された太陽光を、住宅１０の躯体内空間４０において導光し、躯体内空間４０に照射、すなわち、躯体２０の内面に照射する導光部６０とを備えている。太陽光採光開口部５０は、屋根部２１に設けられており、この太陽光採光開口部５０を介して太陽光が躯体内空間４０に採り入れられる。また、導光部６０は、躯体内空間４０内に設けられた複数の反射板６１〜７３を有している。【選択図】図１
2007016561.tif 000002
【特許請求の範囲】
【請求項１】
建築物の内部に、外部から太陽光を採光する採光部と、
前記採光部を介して採光された太陽光を、前記建築物の躯体内空間において導光し、前記躯体内空間に照射する導光部とを備えることを特徴とする躯体内空間への光照射装置。
【請求項２】
前記導光部は、前記採光部を介して採光された太陽光を、前記躯体内空間のうち、少なくとも床下空間に照射するよう構成されている請求項１に記載の躯体内空間への光照射装置。
【請求項３】
前記導光部は、前記採光部を介して採光された太陽光を、前記躯体内空間のうち、少なくとも隣接する上下の階の間に形成されるふところ空間に照射するよう構成されている請求項１または２に記載の躯体内空間への光照射装置。
【請求項４】
前記導光部は、前記採光部を介して採光された太陽光を、前記躯体内空間のうち、少なくとも内壁空間に照射するよう構成されている請求項１ないし３のいずれかに記載の躯体内空間への光照射装置。
【請求項５】
前記導光部は、前記採光部を介して採光された太陽光を、前記躯体内空間のうち、少なくとも屋根の下方に形成される小屋空間に照射するよう構成されている請求項１ないし４のいずれかに記載の躯体内空間への光照射装置。
【請求項６】
前記導光部は、前記採光部を介して採光された太陽光を、前記躯体内空間のうち、少なくとも北側の躯体内空間に照射するよう構成されている請求項１ないし５のいずれかに記載の躯体内空間への光照射装置。
【請求項７】
前記導光部は、前記採光部を介して採光された太陽光を、前記躯体内空間のほぼ全体に照射するよう構成されている請求項１ないし６のいずれかに記載の躯体内空間への光照射装置。
【請求項８】
前記導光部は、前記躯体内空間内に設けられ、前記採光部を介して採光された太陽光を次々と反射して導光する複数の反射板を有する請求項１ないし７のいずれかに記載の躯体内空間への光照射装置。
【請求項９】
前記複数の反射板のうちの少なくとも１つは、変位可能である請求項８に記載の躯体内空間への光照射装置。
【請求項１０】
前記導光部は、前記躯体内空間において導光する光の光路を変更し得るよう構成されている請求項１ないし９のいずれかに記載の躯体内空間への光照射装置。
【請求項１１】
前記躯体内空間を通気する通気手段を有する請求項１ないし１０のいずれかに記載の躯体内空間への光照射装置。
【請求項１２】
前記躯体内空間内に設けられた人工光源を有し、前記人工光源を駆動し、補助的に、前記躯体内空間に、前記人工光源から発せられた人工光を照射する人工光照射手段を備える請求項１ないし１１のいずれかに記載の躯体内空間への光照射装置。
【請求項１３】
前記導光部により、前記人工光源から発せられた光を、前記躯体内空間において導光し、前記躯体内空間に照射するよう構成されている請求項１２に記載の躯体内空間への光照射装置。
【請求項１４】
前記人工光源は、ＬＥＤである請求項１２または１３に記載の躯体内空間への光照射装置。
【請求項１５】
前記躯体内空間内の前記建築物の所定の室に対応する位置に設けられた光吸収部材を有する請求項１ないし１４のいずれかに記載の躯体内空間への光照射装置。
【請求項１６】
前記躯体内空間において導光される光を前記建築物の所定の室内に放光する放光部を有する請求項１ないし１５のいずれかに記載の躯体内空間への光照射装置。
【請求項１７】
前記躯体内空間に光を照射することにより、菌類、害虫および小動物のうちの少なくとも１つの忌避および／または駆除を行なう請求項１ないし１６のいずれかに記載の躯体内空間への光照射装置。
【発明の詳細な説明】
【技術分野】
【０００１】
本発明は、建築物の躯体内空間に光を照射する躯体内空間への光照射装置に関する。
【背景技術】
【０００２】
従来、建築物、例えば住宅内に太陽光を採り入れる太陽光採り入れ装置が開示されている（例えば、特許文献１参照）。この太陽光採り入れ装置は、建築物の屋根面に設けられた開口部から屋根裏に画成された小屋空間に太陽光を採り入れるものであり、採り入れた太陽光により、小屋空間内の空気を暖めることができるようになっている。すなわち、この太陽光採り入れ装置は、暖房等、温度や湿度の調整を目的としている。
【０００３】
ところで、住宅においては、例えば、柱等に防蟻剤を塗布して白蟻の忌避を行なっている。
【０００４】
しかしながら、前記防蟻剤を塗布する方法では、防蟻効果が経時的に減少してしまう。このため、防蟻剤を何度も塗布しなければならず、手間がかかるとともに、コストもかかる。
【０００５】
【特許文献１】特開平７−１０２６７６号公報
【発明の開示】
【発明が解決しようとする課題】
【０００６】
本発明の目的は、建築物において、菌類、害虫、小動物等の忌避や駆除を容易に行なうことができる躯体内空間への光照射装置を提供することにある。
【課題を解決するための手段】
【０００７】
このような目的は、下記（１）〜（１７）の本発明により達成される。
（１）  建築物の内部に、外部から太陽光を採光する採光部と、
前記採光部を介して採光された太陽光を、前記建築物の躯体内空間において導光し、前記躯体内空間に照射する導光部とを備えることを特徴とする躯体内空間への光照射装置。
【０００８】
（２）  前記導光部は、前記採光部を介して採光された太陽光を、前記躯体内空間のうち、少なくとも床下空間に照射するよう構成されている上記（１）に記載の躯体内空間への光照射装置。
【０００９】
（３）  前記導光部は、前記採光部を介して採光された太陽光を、前記躯体内空間のうち、少なくとも隣接する上下の階の間に形成されるふところ空間に照射するよう構成されている上記（１）または（２）に記載の躯体内空間への光照射装置。
【００１０】
（４）  前記導光部は、前記採光部を介して採光された太陽光を、前記躯体内空間のうち、少なくとも内壁空間に照射するよう構成されている上記（１）ないし（３）のいずれかに記載の躯体内空間への光照射装置。
【００１１】
（５）  前記導光部は、前記採光部を介して採光された太陽光を、前記躯体内空間のうち、少なくとも屋根の下方に形成される小屋空間に照射するよう構成されている上記（１）ないし（４）のいずれかに記載の躯体内空間への光照射装置。
【００１２】
（６）  前記導光部は、前記採光部を介して採光された太陽光を、前記躯体内空間のうち、少なくとも北側の躯体内空間に照射するよう構成されている上記（１）ないし（５）のいずれかに記載の躯体内空間への光照射装置。
【００１３】
（７）  前記導光部は、前記採光部を介して採光された太陽光を、前記躯体内空間のほぼ全体に照射するよう構成されている上記（１）ないし（６）のいずれかに記載の躯体内空間への光照射装置。
【００１４】
（８）  前記導光部は、前記躯体内空間内に設けられ、前記採光部を介して採光された太陽光を次々と反射して導光する複数の反射板を有する上記（１）ないし（７）のいずれかに記載の躯体内空間への光照射装置。
【００１５】
（９）  前記複数の反射板のうちの少なくとも１つは、変位可能である上記（８）に記載の躯体内空間への光照射装置。
【００１６】
（１０）  前記導光部は、前記躯体内空間において導光する光の光路を変更し得るよう構成されている上記（１）ないし（９）のいずれかに記載の躯体内空間への光照射装置。
【００１７】
（１１）  前記躯体内空間を通気する通気手段を有する上記（１）ないし（１０）のいずれかに記載の躯体内空間への光照射装置。
【００１８】
（１２）  前記躯体内空間内に設けられた人工光源を有し、前記人工光源を駆動し、補助的に、前記躯体内空間に、前記人工光源から発せられた人工光を照射する人工光照射手段を備える上記（１）ないし（１１）のいずれかに記載の躯体内空間への光照射装置。
【００１９】
（１３）  前記導光部により、前記人工光源から発せられた光を、前記躯体内空間において導光し、前記躯体内空間に照射するよう構成されている上記（１２）に記載の躯体内空間への光照射装置。
【００２０】
（１４）  前記人工光源は、ＬＥＤである上記（１２）または（１３）に記載の躯体内空間への光照射装置。
【００２１】
（１５）  前記躯体内空間内の前記建築物の所定の室に対応する位置に設けられた光吸収部材を有する上記（１）ないし（１４）のいずれかに記載の躯体内空間への光照射装置。
【００２２】
（１６）  前記躯体内空間において導光される光を前記建築物の所定の室内に放光する放光部を有する上記（１）ないし（１５）のいずれかに記載の躯体内空間への光照射装置。
【００２３】
（１７）  前記躯体内空間に光を照射することにより、菌類、害虫および小動物のうちの少なくとも１つの忌避および／または駆除を行なう上記（１）ないし（１６）のいずれかに記載の躯体内空間への光照射装置。
【発明の効果】
【００２４】
本発明によれば、太陽光を採光し、その太陽光を確実に、躯体内空間に照射することができる。すなわち、建築物において、太陽光が届かず、例えば、カビ、細菌等の菌類、ダニ、クモ、ゴキブリ、白蟻等の害虫（虫）、ねずみ等の小動物が生息、付着、繁殖しやすい躯体内空間に、採光した太陽光を確実に照射することができる。
【００２５】
これにより、建築物において、防蟻剤（防虫剤）等を塗布する手間がかからず、例えば、カビ、細菌等の菌類、ダニ、クモ、ゴキブリ、白蟻等の害虫、ねずみ等の小動物の忌避および駆除を容易に行なうことができる。これによって、建築物を、快適に、かつ、安心して利用することができ、また、建築物の耐久性を向上させることができる。
【００２６】
また、躯体内空間が明るくなるので、躯体内空間におけるメンテナンス性を向上させることができる。
【００２７】
また、躯体内空間に太陽光を照射することにより、建築物の室内を暖めることができる。従って、電力を使用することなく室内の暖房を行なうことができ、消費エネルギーを低減することができ、建築物の省エネルギー化に貢献することができる。特に、躯体内空間全体に太陽光を照射することにより、室内を均一に暖めることができる。
【００２８】
また、躯体内空間に太陽光を照射することにより、躯体内空間が暖められ、これによって、建築物の躯体内等の水蒸気を蒸発させて結露を防止することができ、また、建築物の躯体を乾燥させることができる。これにより、建築物の躯体を構成する木材等の腐敗や劣化を防止して建築物の耐久性を向上させることができ、かつ湿気による菌類や害虫の繁殖を抑制することができる。
【発明を実施するための最良の形態】
【００２９】
以下、本発明の躯体内空間への光照射装置（以下、単に「光照射装置」と言う）を添付図面に示す好適実施形態に基づいて詳細に説明する。
【００３０】
図１は、本発明の光照射装置の実施形態が適用された建築物としての住宅の概略構造を示す断面図、図２および図３は、それぞれ、図１に示す光照射装置における導光部を説明するための断面図、図４は、図１に示す光照射装置における循環装置を説明するための断面図である。
【００３１】
なお、説明の都合上、図１および図２〜図６において、上側を「上」、下側を「下」として説明する。また、図１〜図４および図６における方位は、右側が「南」、左側が「北」であり、図５における方位は、右側が「北」、左側が「南」である。
【００３２】
図１に示すように、住宅（建築物）１０は、居住空間等の各室３１、３２、３３、図示しない玄関、図示しない廊下等を画成する躯体２０を有している。躯体２０は、屋根部２１と、外壁部２２と、屋根部２１および外壁部２２の内面に積層された断熱材２３と、基台部２４と、室３１、３２、３３をそれぞれ画成する内壁部２５、２６、２７とを有している。また、躯体２０の内部には、躯体内空間４０が形成されている。
【００３３】
この躯体内空間４０は、小屋空間４１、床下空間４２、ふところ空間４３、および内壁空間（内壁空洞）４４、４５、４６で構成されている。すなわち、躯体内空間４０は、小屋空間４１、床下空間４２、ふところ空間４３、および内壁空間４４、４５、４６が連通して形成される一続きの空間（連通空間）である。
【００３４】
小屋空間４１は、屋根の下方に形成される空間、すなわち、屋根部２１と、室３１の内壁部２５の上部および室３３の内壁部２７の上部との間に形成される空間である。
【００３５】
また、床下空間４２は、基台部２４と、室３２の内壁部２６の下部および室３３の内壁部２７の下部との間に形成される空間である。
【００３６】
また、ふところ空間４３は、隣接する上下の階の間（本実施形態では、１階と２階の間）に形成される空間、すなわち、室３１の内壁部２５の下部と室３２の内壁部２６の上部との間に形成される空間である。
【００３７】
また、内壁空間（内壁空洞）４４、４５、４６は、それぞれ、外壁部２２と、内壁部２５、２６、２７との間に上下方向に沿って形成される空間である。
【００３８】
光照射装置１は、前記住宅１０に設けられており、住宅１０の内部に外部から太陽光（自然光）を採光する太陽光採光開口部（採光部）５０と、太陽光採光開口部５０を介して採光された太陽光を、住宅１０の躯体内空間４０において導光し、躯体内空間４０に照射（放出）、すなわち、躯体２０の内面に照射する導光部６０とを備えている。太陽光採光開口部５０は、屋根部２１に設けられており、この太陽光採光開口部５０を介して太陽光が躯体内空間４０に採り入れられる。また、導光部６０は、躯体内空間４０内に設けられている。
【００３９】
太陽光採光開口部５０は、屋根部２１において太陽光を十分に躯体内空間４０に採り入れるために必要な面積に形成された開口５１と、開口５１に嵌め込まれ、太陽光を透過する部材からなる太陽光透過部材５２とから構成される。また、太陽光透過部５２の構成材料としては、例えば、各種ガラスや各種樹脂等を用いることができる。
【００４０】
太陽光採光開口部５０は、住宅１０の屋根部２１において、時間や季節に拘わらず太陽光の直射を受ける位置に配設されており、例えば、南側に面する位置に配設されているのが好ましい。
【００４１】
住宅１０において、太陽光採光開口部５０を介して太陽光が躯体内空間４０の小屋空間４１に採光される。
【００４２】
導光部６０は、複数の反射板６１〜７３、すなわち、小屋空間４１に配設された反射板６１、６２と、内壁空間４５に配設された反射板６３〜６８、床下空間４２に配設された反射板６９〜７１と、内壁空間４４に配設された反射板７２および７３とを有している。
【００４３】
反射板６１〜７３の位置（配置）および傾斜角度（姿勢）は、図２に示すように、太陽光採光開口部５０を介して躯体内空間４０の小屋空間４１内に採光された太陽光が、反射板６１〜７３により次々と反射され、躯体内空間４０のうちの、小屋空間４１、内壁空間４５、床下空間４２および北側の躯体内空間４０である内壁空間４４に導光され、これら小屋空間４１、内壁空間４５、床下空間４２および内壁空間４４に照射されるように設定される。
【００４４】
また、反射板６１は、太陽光採光開口部５０を介して小屋空間４１内に入射した太陽光を反射板６２に向けて反射する図２に示す位置（導光位置）と、太陽光採光開口部５０を介して小屋空間４１内に入射した太陽光を太陽光採光開口部５０に向けて反射する図３に示す位置（遮光位置）との間で、図示しない駆動装置によって回動（変位）し得るように構成されている。
【００４５】
反射板６１が図２に示す導光位置に位置する場合は、太陽光採光開口部５０から入射した太陽光は、反射板６１〜７３により次々と反射され、小屋空間４１、内壁空間４５、床下空間４２および内壁空間４４に導光され、これら小屋空間４１、内壁空間４５、床下空間４２および内壁空間４４に照射される。
【００４６】
一方、反射板６１が図３に示す遮光位置に位置する場合は、太陽光採光開口部５０から入射した太陽光は、反射板６１で太陽光採光開口部５０に向けて反射し、太陽光採光開口部５０から外部に放出（導光）される。すなわち、その太陽光は、実質的に躯体内空間４０に照射されない。
【００４７】
反射板６１〜７３としては、反射率の高い反射面を有するものを用いるのが好ましい。具体的には、反射板６１〜７３の反射面の反射率は、９５％以上であるのが好ましく、９８％以上であるのがより好ましい。また、反射板６１〜７３の構成材料（反射板６１〜７３の反射面の構成材料）としては、例えば、アルミニウムやアルミニウム系合金等の金属材料を用いることができる。
【００４８】
反射板６１〜７３として反射率の高い反射面を有するものを用いることにより、導光部６０によって導光される太陽光の損失を抑制することができ、太陽光の導光を効率良く行なうことができる。
【００４９】
このように、この照射装置１では、太陽光が届かず、例えば、カビ、細菌等の菌類、ダニ、クモ、ゴキブリ、白蟻等の害虫（虫）、ねずみ等の小動物が生息、付着、繁殖しやすい場所である小屋空間４１、内壁空間４５、床下空間４２および内壁空間４４に、太陽光採光開口部５０を介して採光された太陽光を照射することができる。
【００５０】
これにより、住宅１０の躯体内空間４０において、例えば、カビ、細菌等の菌類、ダニ、クモ、ゴキブリ、白蟻等の害虫、ねずみ等の小動物の忌避および駆除を行なうことができる。すなわち、太陽光の照射により、例えば、カビ、細菌等の菌類の付着や繁殖を防止したり、その菌類を殺菌することができる。また、例えば、ダニ、クモ、ゴキブリ、白蟻等の害虫は、明所を嫌うので、太陽光の照射により、その害虫の忌避および駆除を行なうことができる。また、同様に、太陽光の照射により、例えば、ねずみ等の小動物の忌避および駆除を行なうことができる。
【００５１】
また、必要に応じて、反射板６１を図３に示す遮光位置に位置させることにより、その反射板６１によって、太陽光採光開口部５０を介して入射した太陽光を遮光することができ、太陽光が躯体内空間４０に照射されないようにすることができる。
【００５２】
ここで、本発明では、導光部６０の構成は、図示例のものに限定されず、導光部６０は、太陽光採光開口部（採光部）５０を介して採光された太陽光を、躯体内空間４０を構成する各空間、すなわち、小屋空間４１、床下空間４２、ふところ空間４３、内壁空間４４〜４６のうちの、少なくもと１つに照射するように構成されていればよい。
【００５３】
すなわち、本発明では、導光部６０は、太陽光採光開口部５０を介して採光された太陽光を、躯体内空間４０のほぼ全体に照射するように構成されていてもよく、また、躯体内空間４０の一部に集中的に照射するように構成されていてもよい。
【００５４】
太陽光が躯体内空間４０のほぼ全体に照射される場合には、躯体内空間４０の全体において、前記菌類、害虫、小動物の忌避および駆除を行なうことができる。
【００５５】
また、太陽光が躯体内空間４０の一部に集中的に照射される場合には、その箇所において、前記菌類、害虫、小動物の忌避および駆除をより確実に行なうことができる。
【００５６】
また、導光部６０は、太陽光採光開口部５０を介して採光された太陽光を、少なくとも北側の躯体内空間４０に照射するよう構成されているのが好ましい。北側の躯体内空間４０は、南側、東側および西側の躯体内空間４０に比べて、菌類、害虫、小動物が、より生息、付着、繁殖しやすい場所であるので、その箇所への太陽光の照射によって、より高い効果が得られるためである。
また、太陽光を照射する箇所によって、忌避および駆除の対象が異なる。
【００５７】
太陽光を照射する箇所が、小屋空間４１、ふところ空間４３、内壁空間４４〜４６の場合には、それぞれ、忌避および駆除の対象は、例えば、カビ、細菌等の菌類、ダニ、クモ、ゴキブリ等の害虫、ねずみ等の小動物である。
【００５８】
一方、白蟻は、比較的低い位置に生息するので、太陽光を照射する箇所が、床下空間４２の場合には、忌避および駆除の対象は、前記のものに、さらに、白蟻が加わる。
【００５９】
図１に示すように、光照射装置１は、さらに、躯体内空間４０において導光される光（太陽光等）を住宅１０の室３２内に放光する窓（放光部）８１を有している。
【００６０】
窓８１は、室３２の内壁部２６の上側の隅部（角部）に形成された開口部と、この開口部に嵌め込まれ、光透過性を有する光透過性部材とから構成される。また、前記光透過性部材の構成材料としては、例えば、各種ガラスや各種樹脂等を用いることができる。なお、この窓８１には、例えば、光を拡散する拡散板等の光学部品が設けられていてもよい。
また、前記窓８１を遮光し得る図示しない遮光手段を設けてもよい。
【００６１】
図２に示すように、この窓８１により、躯体内空間４０内において導光部６０によって導光される太陽光を室３２内に、均一に放出（照射）することができる。
【００６２】
図１に示すように、光照射装置１は、さらに、躯体内空間４０を通気する通気手段として、躯体内空間４０内において空気を循環させることが可能な循環装置９０を有している。
【００６３】
循環装置９０は、外壁部２２の図１中左側の下部および右側の下部に設けられ、床下空間４２を外部に連通可能にする床下換気口９１および９２と、屋根部の頂上部（中央部）に設けられ、小屋空間４１を外部に連通可能にする小屋換気口９３とを備える。床下換気口９１、９２および小屋換気口９３は、例えば、図示しないシャッター装置等により開閉し得るように構成されている。
【００６４】
次に、この循環装置９０の作用について説明する。
一般的に、住宅１０の躯体内空間４０内の空気は、外気より温度が高い。このため、図４に示すように、床下換気口９１、９２および小屋換気口９３が開放されると、床下空間４２内の空気は、上昇し、内壁空間４４、４５、４６およびふところ空間４３を経て小屋空間４１まで上昇し、小屋換気口９３から排出される。一方、床下空間４２内の空気が上昇することにより、外気（空気）が床下換気口９１、９２を介して流入する。このように、外気が床下換気口９１、９２から躯体内空間４０に流入し、その躯体内空間４０内を流れて、小屋換気口９３から排出される。
【００６５】
また、躯体内空間４０内においては、太陽光採光開口部５０を介して採光された太陽光りにより、温度差が生じる。このため、床下換気口９１、９２および小屋換気口９３が閉鎖されると、躯体内空間４０内の温度差によって、躯体内空間４０内において内部の空気が循環（自然循環）する。
【００６６】
なお、本発明では、通気手段が、さらに、例えば、ファン等の送気装置を有していてもよい。これによれば、より確実に、躯体内空間４０を通気することができる。
【００６７】
図１に示すように、光照射装置１は、さらに、複数のＬＥＤ（発光ダイオード）（人工光源）１００と、ＬＥＤ１００を駆動する図示しない駆動装置とで構成された人工光照射手段を備えている。各ＬＥＤ１００は、躯体内空間４０内に設置されており、人工光照射手段は、駆動装置により、ＬＥＤ１００を駆動し、補助的に、躯体内空間４０に、ＬＥＤ１００から発せられた光（人工光）を照射する。
【００６８】
また、ＬＥＤ１００から発せられた光は、前述した太陽光と同様に、導光部６０により、躯体内空間４０において導光され、躯体内空間４０に照射される。
【００６９】
これにより、躯体内空間４０において導光される（照射される）太陽光の光量や特定の波長を補完することができる。例えば、夜間や、天候が曇りや雨の場合等の太陽が出ていない場合は、ＬＥＤ１００を発光させることにより、前記菌類、害虫、小動物の忌避および駆除を行なうことができる。
【００７０】
なお、ＬＥＤ１００の数や位置は、図示したものに限定されるものではない。また、躯体内空間４０に、ＬＥＤ１００が設けられていなくてもよい。
【００７１】
以上説明したように、この光照射装置１によれば、太陽光を採光し、その太陽光を確実に、躯体内空間４０に照射することができる。
【００７２】
これにより、住宅１０において、防蟻剤（防虫剤）等を塗布する手間がかからず、例えば、カビ、細菌等の菌類、ダニ、クモ、ゴキブリ、白蟻等の害虫、ねずみ等の小動物の忌避および駆除を容易に行なうことができる。これによって、住宅１０において、快適に、かつ、安心して生活することができ、また、住宅１０の耐久性を向上させることができる。
【００７３】
また、躯体内空間４０が明るくなるので、躯体内空間４０におけるメンテナンス性を向上させることができる。
【００７４】
また、躯体内空間４０に太陽光を照射することにより、内壁部２５、２６、２７を介してそれぞれ、室３１、３２、３３内を暖めることができる。従って、電力を使用することなく室３１、３２、３３内の暖房を行なうことができ、消費エネルギーを低減することができ、住宅１０の省エネルギー化に貢献することができる。特に、躯体内空間４０全体に太陽光を照射することにより、室３１、３２、３３内を均一に暖めることができる。
【００７５】
また、躯体内空間４０に太陽光を照射することにより、躯体内空間４０や躯体２０の内面が暖められ、これによって、躯体２０内等の水蒸気を蒸発させて結露を防止することができ、また、躯体２０を乾燥させることができる。これにより、躯体２０を構成する木材や断熱材等の腐敗や劣化を防止して住宅１０の耐久性を向上させることができ、かつ湿気による菌類や害虫の繁殖を抑制することができる。
【００７６】
また、光照射装置１によれば、循環装置９０が床下換気口９１、９２および小屋換気口９３を開放することにより、外気が床下換気口９１、９２から躯体内空間４０に流入し、その躯体内空間４０内を流れて、小屋換気口９３から排出されるので、躯体内空間４０の湿度を低下させることができる。これにより、躯体２０内等の結露を防止することができ、また、躯体２０を乾燥させることができ、躯体２０を構成する木材や断熱材等の腐敗や劣化を防止して住宅１０の耐久性をより向上させることができ、かつ湿気による菌類や害虫の繁殖をより抑制することができる。
【００７７】
加えて、躯体内空間４０に発生した熱を廃熱することができるので、例えば、夏場等において、太陽光が躯体内空間４０に照射されることによって躯体内空間４０に発生する熱を外部に廃熱することができる。これにより、室３１、３２、３３内の温度を低下させることができ、室３１、３２、３３内の快適性を向上させることができる。
【００７８】
また、冷房の設定温度を高くしたり、また、冷房を使用しなくても室３１、３２、３３内が暑くなり過ぎるのを防止することができるため、消費エネルギーを低減することができ、住宅１０の省エネルギー化に貢献することができる。
【００７９】
また、循環装置９０が床下換気口９１、９２および小屋換気口９３を閉鎖することにより、この躯体内空間４０の温度差によって躯体内空間４０内において内部の空気を自然循環させることができる。このため、躯体内空間４０内の温度を均一にすることができる。特に、冬場においては、躯体内空間４０に照射された太陽光によって暖められた空気を躯体内空間４０において循環させることにより、躯体内空間４０全体を均一に暖めることができ、住宅１０全体を温度差なく、均一に暖めることができる。
【００８０】
また、光照射装置１によれば、導光部６０の反射板６１が図２に示す導光位置と図３に示す遮光位置との間で回動可能に構成されているので、その反射板６１を回動させて反射板６１の位置を変更することにより、躯体内空間４０において導光する光の光路を変更することができる。これにより、時間や季節による太陽光の入射角度に拘わらず、太陽光採光開口部５０を介して入射した太陽光を躯体内空間４０において確実に導光することができ、躯体内空間４０に確実に照射することができる。
【００８１】
また、反射板６１を図３に示す遮光位置に位置させることにより、太陽光採光開口部５０を介して入射した太陽光を、反射板６１で反射させて太陽光採光開口部５０を介して外部に放出させることができる（遮光することができる）。
【００８２】
また、反射板６１を図２に示す導光位置と図３に示す遮光位置との間において回動させて反射板６１の位置を調整することにより、躯体内空間４０に照射される太陽光の光量を調整することができる。これにより、太陽光による躯体内空間４０の暖房、すなわち、住宅１０の暖房の強弱を調整して温度調整を行なうことができる。
【００８３】
また、光照射装置１によれば、窓８１により、躯体内空間４０において導光される光（太陽光等）を室３１内に放光することができ、これにより、室内を照明することができる。これによって、消費電力を低減することができる。加えて、北側の室や窓等が無い室等の日当たりの悪い室内に太陽光を採り入れることができ、住宅１０の快適性を向上させることができる。
【００８４】
また、光照射装置１によれば、太陽光の導光路および空気の流路として共通の躯体内空間４０を利用しているので、住宅１０の省スペース化に貢献することができる。
【００８５】
また、光照射装置１によれば、躯体内空間４０に複数のＬＥＤ１００が配設されているので、躯体内空間４０において導光される（照射される）太陽光の光量や特定の波長を補完することができる。
【００８６】
これにより、住宅１０において、菌類、害虫、小動物の忌避および駆除をより確実に行なうことができる。特に、夜間や、天候が曇りや雨の場合等の太陽が出ていない場合でも、ＬＥＤ１００を発光させることにより、菌類、害虫、小動物の忌避および駆除を行なうことができる。
【００８７】
加えて、住宅１０の室３１、３２、３３内をより暖めることができ、躯体２０内の結露をより確実に防止することができる。特に、夜間や、天候が曇りや雨の場合等の太陽が出ていない場合でも、ＬＥＤ１００を発光させることにより、住宅１０の室３１、３２、３３内を暖めることができ、躯体２０内の結露を防止することができる。
なお、本発明の光照射装置は、前述した実施形態に限定されるものではない。
【００８８】
以下、本発明の光照射装置の他の実施形態および各実施形態におけるいくつかの変形例を説明するが、前述した実施形態との相違点を中心に説明し、同様の事項については、その説明を省略する。
【００８９】
図５および図６は、それぞれ、本発明の光照射装置の他の実施形態を示す断面図である。
【００９０】
図５に示すように、図１の太陽光採光開口部５０および導光部６０に代えて、太陽光採光開口部１１０および導光部１２０を備えるようにしてもよい。
【００９１】
太陽光採光開口部１１０は、外壁部２２の上部において太陽光を十分に躯体内空間４０に採り入れるために必要な面積に形成された開口１１１と、開口１１１に嵌め込まれ、太陽光を透過する部材からなる太陽光透過部材１１２とから構成される。
【００９２】
導光部１２０は、複数の反射板１２１〜１２６、すなわち、内壁空間４４に配設された反射板１２１〜１２３、床下空間４２に配設された反射板１２４〜１２６とを有している。
【００９３】
また、反射板１２１〜１２６の位置（配置）および傾斜角度（姿勢）は、太陽光採光開口部１１０を介して躯体内空間４０の内壁空間４４内に採光された太陽光が、反射板１２１〜１２６により次々と反射され、躯体内空間４０のうちの、内壁空間４４および床下空間４２に導光され、これら内壁空間４４および床下空間４２に照射されるように設定される。
【００９４】
また、反射板１２１は前述した反射板６１と同様に、図示しない駆動装置によって回動（変位）し得るように構成されていてもよい。
【００９５】
なお、本発明では、導光部６０は、上述の構成に限定されるものではなく、例えば、反射板の数、位置、傾斜角度等は、上述のものに限らず、躯体内空間４０において太陽光を導光可能で、躯体内空間４０に太陽光を照射し得る他の構成であってもよい。
【００９６】
さらに、反射板６１以外の反射板も移動可能に構成してもよい。これにより、導光部６０は、躯体内空間４０において導光される光（太陽光等）の光路を変更することができる。これにより、時間や季節による太陽光の入射角度に拘わらず、太陽光採光開口部５０を介して入射した太陽光を躯体内空間４０において確実に導光することができ、躯体内空間４０に確実に照射することができる。図５に示す光照射装置１も同様である。
【００９７】
また、反射板６１〜７３を住宅１０において熱を伝えたくない位置に対応して配置してもよい。これにより、反射板６１〜７３が配置された熱を伝えたくない位置においては、その反射板６１〜７３によって太陽光が全て反射されるため、太陽光の照射によって熱が伝わることを防止することができる。例えば、室３１内に熱を伝えたくない場合は、室３１の内壁部２５の全面や太陽光が照射される位置に反射板を設置することにより、室３１の内壁部２５へ太陽光が照射されることを防止することができる。これにより、太陽光の照射によって内壁部２５を介して室３１内に熱が伝わることを防止することができ、室３１内の温度を低下させることができる。図５に示す光照射装置１も同様である。
【００９８】
また、躯体内空間４０内の所定の室に対応する位置、すなわち、所定の室の内壁部の一部または全部に、光を吸収する光吸収部材を設けてもよい。これにより、導光部６０によって導光された太陽光が光吸収部材に照射され、その光吸収部材により太陽光が吸収され、光吸収部材が太陽光を吸収して発生する熱を内壁部を介して室内に伝えることができる。これによって、室内を暖めることができ、消費エネルギーをより低減することができる。例えば、図６に示すように、室３２の内壁部２６の下部の反射板７１で反射する光が照射される位置に、光吸収部材１３０を設置することにより、光吸収部材１３０が反射板７１で反射する太陽光を吸収して発生する熱が、内壁部２６を介して室３２に伝わり、これにより、室３２内を暖めることができる。なお、光吸収部材を設置する位置やその数等は、上述のものには限定されない。
【００９９】
また、窓８１の数や位置等は、上述のものには限定されず、住宅１０の構造等も上述のものには限定されない。さらに、本発明の光照射装置が適用される建築物は、住宅に限るものではなく、例えば、ビル等の他の建築物であってもよい。
【０１００】
以上、本発明の躯体内空間への光照射装置を、図示の実施形態や変形例に基づいて説明したが、本発明はこれに限定されるものではなく、各部の構成は、同様の機能を有する任意の構成のものに置換することができる。また、本発明に、他の任意の構成物が付加されていてもよい。
【０１０１】
また、本発明は、前記各実施形態や各変形例のうちの、任意の２以上の構成（特徴）を組み合わせたものであってもよい。
【図面の簡単な説明】
【０１０２】
【図１】本発明の光照射装置の実施形態が適用された建築物としての住宅の概略構造を示す断面図である。
【図２】図１に示す光照射装置における導光部を説明するための断面図である。
【図３】図１に示す光照射装置における導光部を説明するための断面図である。
【図４】図１に示す光照射装置における循環装置を説明するための断面図である。
【図５】本発明の光照射装置の他の実施形態を示す断面図である。
【図６】本発明の光照射装置の他の実施形態を示す断面図である。
【符号の説明】
【０１０３】
１                光照射装置
１０              住宅
２０              躯体
２１              屋根部
２２              外壁部
２３              断熱材
２４              基台部
２５、２６、２７  内壁部
３１、３２、３３  室
４０              躯体内空間
４１              小屋空間
４２              床下空間
４３              ふところ空間
４４、４５、４６  内壁空間
５０、１１０      太陽光採光開口部（採光部）
５１、１１１      開口
５２、１１２      太陽光透過部材
６０、１２０      導光部
６１〜７３、１２１〜１２６  反射板
８１              窓（放光部）
９０              循環装置
９１、９２        床下換気口
９３              小屋換気口
１００            ＬＥＤ
１３０            光吸収部材
【図１】
2007016561.tif 000003
【図２】
2007016561.tif 000004
【図３】
2007016561.tif 000005
【図４】
2007016561.tif 000006
【図５】
2007016561.tif 000007
【図６】
2007016561.tif 000008